(57)【要約】      （修正有）【課題】切り花を長時間保存出来るので旅先で買っても帰宅まで切り花が萎むこともないので大変に便利な切り花保水用袋を提供する。【解決手段】ビニールの袋の中に水を吸水出来る物、この場合にはスポンジをしようした。吸水性と多量の生産が出来安く生産できることが特に重要であり、瞬時に吸水が出来る物をビニールの袋の底にスポンジを入れ、袋の中に水を入れるとスポンジが充分に吸水しその中へ切り花の茎の切り先を入れるとスポンジが茎を包むようになり長時間保存が出来る。【選択図】図１
0003134834.tif 000002
【実用新案登録請求の範囲】
【請求項１】
考案品は主に切り花の保水用に考案したもので、切り花は常に保水を必要とし、水が切れた為に花の色が変色し又葉が萎んだりする為一時的保水用として考案した。
【請求項２】
考案品はビニル用の袋と保水用のスポンジ又は保水が出来るものであれスポンジ以外の物でも適用可能で有る
【考案の詳細な説明】
【技術分野】
【０００１】  保水用袋は底の部分は〔図２〕のように楕円形の卵を半分にしたような形にし、ビニールの底に保水用のこれも楕円形の卵を半分に切断したようなスポンジを入れる。切り花の切り口を充分に水を吸い込んだスポンジで包み込むようにする。
【背景技術】
【０００２】  保水用袋は切り花のきれいさを引き立てるような花模様のビニールなどにした。
【特許文献１】
【非特許文献】
【考案の開始】
【考案が解決しようとする課題】
【０００３】  考案品は切り花の保水用のもので今日のように交通が発達し何所でも出かける事ができるためにレジャーも盛んでお客の集まる処では切り花は必ずというほど販売されているが、切り花を求めても帰宅までの時間がかかるため買うのをあきらめるお客も多いのでこの考案品があれば非常に便利であり、切り花は種類によっては茎の切り先から灰汁の出る物も多いので衣服を汚すこともあるのでこの保水袋があればその心配もなく又外見上も綺麗である。
【課題を解決する為の手段】
【０００４】  考案品は〔請求項２〕で説明したようにビニールの袋の中に水を吸水出来る物、この場合にはスポンジをしようした。吸水性と多量の生産が出来安く生産できることが特に重要であり、瞬時に吸水が出来る物をビニールの袋の底にスポンジを入れ、袋の中に水を入れるとスポンジが充分に吸水しその中へ切り花の茎の切り先を入れるとスポンジが茎を包むようになり長時間保存が出来る。
【考案の効果】
【０００５】  この考案品があれば切り花を長時間保存が出来るので旅先で買っても帰宅まで切り花が萎むこともないので大変に便利でもあり、特に切り花の出荷は春から夏にかけ盛んな時期だけに外気か暑い時期は切り花もかなりの吸水が必要であり、この考案品が有れば産業効果も大きいと思はれる。
【考案を実施するための最良の形態】
【０００６】  今日までは切り花の保水用として手軽に持ち運ぶものはなく、この考案品は花屋さんなど切り花を出荷する所などではかなりの利用価値があるものと思はれる。又ビニール製品は非常に安い物であり、如何に購入者に負担を掛けず喜んで頂けることは大事なことでもある。
【実施例１】
【０００７】  現在はこの考案品は市場にはないが自分で幅５０ｍｍ長さ３００ｍｍその内の１５０ｍｍが筒状の袋の部分、残り１５０ｍｍが袋の口から二股に紐用とした
袋の底の部分には市販のスポンジを適当に形を作り入れて袋の中に水を入れると袋の底に有るスポンジは充分に水を吸い余りの水は袋を逆さにして水を切る事で衣服を濡らさず使用が出来た。
【産業上の利用可能性】
【０００８】  この考案品は切り花の保水用であり、特に高価な花は多少の時間でも保水を必要とし今後全国の花屋さんで利用される事はお客に対しサービスでも有り、又折角綺麗な花を長時間長持ちさせる事も栽培者の願いでもあり、この考案品で切り花を綺麗に保てることは自然に販売促進に繋がり、切り花を無駄にしない上からも産業の上から利用価値は大である。
【図面の簡単な説明】
【０００９】
【符号の説明】
１、  は切り花保水用袋の平面図、袋の全体の長さと袋の部分と紐の部分の長さを示した図
２、  袋にスポンジを入れ斜円形にした袋の口の幅を示した図
３、  スポンジの幅と長さを示した図
４、  切り花保水袋に切り花を入れ袋の紐の部分で切り花を結んだ図
【図１】
0003134834.tif 000003
【図２】
0003134834.tif 000004
【図３】
0003134834.tif 000005
【図４】
0003134834.tif 000006
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
切り花保水用袋は、円錐形で袋の口を広く、底の方は狭く〔図１〕のように底の部分は丸くし、袋の中の底には保水用として、その物質は瞬時に水を吸収するものであれば特に材質は特定しないが、この場合はスポンジを利用した。
袋全体の長さは〔図１〕のように紐用の部分と袋の部分に分かれるが、紐の部分と袋の部分を合せた長さは約３００〜３５０ｍｍで其の内紐の部分は１５０ｍｍ袋の部分は１５０〜１５５ｍｍとした。袋の口、直径は６０〜７０ｍｍで底の方は口より細くし袋の底の部分にはスポンジを直径４０ｍｍ長さ４５ｍｍの卵を半分にしたような形の〔図３〕のスポンジを入れる。紐の部分は〔図１〕のように両端を紐用に残し中の部分は円錐形にきりとる。このような形のものが切り花保水用袋。
【請求項２】
切り花保水用袋は〔請求項１〕で述べたように長時間使用しても水漏れの心配がない物としてこの場合はビニールを利用した。又袋の中に入れる保水用としては即吸水性のものとしては色々考えられるが、多量に生産が出来コストの点から考えてスポンジが適しているしビニールとスポンジの組み合わせは美的感覚からしてもカラフルなものが生産できる。このように切り花に水を吸水できる物として考案したのが切り花保水用袋。
【手続補正２】
【補正対象書類名】明細書
【補正対象項目名】全文
【補正方法】変更
【補正の内容】
【考案の詳細な説明】
【技術分野】
【０００１】  切り花保水用袋は円錐形のビニールの袋で底の中には〔図２〕のように卵を半分にしたような形のスポンジを保水用として入れる、切り花をこの切り花保水用袋に入れると、切り花の茎の切口は充分に水を吸い込んだスポンジで包み込まれスポンジに含まれている水分を吸収することにより長時間新鮮さを保つ事が出来る。
【背景技術】
【０００２】  切り花保水用袋は切り花のきれいさを引き立てるような花模様などカラフルな商品価値を高めるものを必要とする。
【特許文献１】
【非特許文献】
【考案の開始】
【考案が解決しようとする課題】
【０００３】  切り花保水用袋は今日のように交通が発達し車社会で何所でも出かける事ができ、レジャーも盛んでお客の集まる処では切り花は必ずというほど販売されているが、切り花を求めても帰宅までの時間が掛かる為に綺麗であった切り花も水の補給が出来ず萎み花の色も変色する事になり、特に花を愛し花の好きなお客は切り花の保水が出来ない為に買うのをあきらめるお客も多いのでこの考案品があれば大変助かり、又切り花は種類によっては茎の切り先から灰汁の出る物も有り衣服を汚すこともある。この保水袋があればその心配もなく又外見上も綺麗であり販売促進に大変貢献出来る。
【課題を解決する為の手段】
【０００４】  切り花保水用袋は〔請求項２〕で説明したようにビニールの袋の中に水を吸水出来る物、この場合にはスポンジをしようした。吸水性と多量の生産と安価でできることが特に重要であり、瞬時に吸水が出来る物をビニールの袋の底に入れ、袋の中に水を入れるとスポンジが充分に吸水しその中へ切り花の茎の切り先を入れるとスポンジが茎を包むようになり長時間保水と保存が出きる。
【考案の効果】
【０００５】  この考案品があれば切り花を長時間保存が出来るので旅先で買っても帰宅まで切り花が萎むこともないので大変に便利でもあり、特に切り花の出荷は春から夏にかけ盛んな時期だけに外気か暑い時期は切り花もかなりの吸水が必要であり、この考案品が有れば産業効果も大きいと思はれる
【考案を実施するための最良の形態】
【０００６】  今日までは切り花の保水用として手軽に持ち運ぶものはなく、この考案品は花屋さんなど切り花を出荷する所などではかなりの利用価値があるものと思はれる、又ビニール製品は非常に安い物で、如何に購入者に負担を掛けず喜んで頂けることはサービス上も大事なことでもある。
【実施例１】
【０００７】  現在はこの考案品は市場にはないが自分で直径６０ｍｍ長さ３００ｍｍその内の１５０ｍｍが筒状の袋の部分、残り１５０ｍｍが袋の口から二股に紐用とした袋の底の部分には市販のスポンジを適当に形を作り入れて袋の中に水を入れると袋の底に有るスポンジは充分に水を吸い、切り花は長時間保水と保存ができた。
【産業上の利用可能性】
【０００８】  この切り花の保水用袋の利用として、特に高価な花は多少の時間でも保水を必要とし今後全国の花屋さんで利用される事はお客に対しサービスでも有り、又折角綺麗な花を長時間長持ちさせる事も栽培者の願いでもあり、この考案品で切り花を綺麗に保てることは自然に販売促進に繋がり、切り花を無駄にしない上からも産業の上から利用価値は大である
【図面の簡単な説明】
【０００９】
【図１】平面図
【図２】立体図
【図３】立体図（スポンジ）
【図４】平面図
【符号の説明】
【００１０】〔図１〕  平面図
１・・・紐の部分
２・・・袋の部分
３・・・紐と袋の長さ
〔図２〕  立体図
１・・・口の直径
２・・・袋の長さ
３・・・紐の長さ
〔図３〕  立体図（スポンジ）
１・・・スポンジの直径
２・・・スポンジの長さ
〔図４〕  平面図
１・・・切り花と切り花保水用袋
【手続補正３】
【補正対象書類名】図面
【補正対象項目名】全図
【補正方法】変更
【補正の内容】
【図１】
0003134834.tif 000007
【図２】
0003134834.tif 000008
【図３】
0003134834.tif 000009
【図４】
0003134834.tif 000010
【手続補正書】
【提出日】平成19年5月30日(2007.5.30)
【手続補正１】
【補正対象書類名】実用新案登録請求の範囲
【補正対象項目名】全文
【補正方法】変更
【補正の内容】
【実用新案登録請求の範囲】
【請求項１】
ビニールとスポンジで構成した円錐形の袋で袋の上部口の部分は広くその両端は紐用にし、袋の下部は細く円形にして袋の底にスポンジが納まり安くしたことを特長としたのが切り花保水用袋。
【請求項２】
ビニールとスポンジで構成した円錐形の袋で、長時間使用しても水漏れしないビンールと即吸水性のものとしては色々有るが卵を半分にしたような形のスポンジを利用したことを特長とする請求項１の切り花保水用袋。
【手続補正２】
【補正対象書類名】明細書
【補正対象項目名】全文
【補正方法】変更
【補正の内容】
【考案の詳細な説明】
【技術分野】
【０００１】切り花保水用袋は円錐形のビニールの袋で底の中には［図２］のように卵を半分にしたような形のスポンジを保水用として入れる、切り花をこの保水用袋に入れると、切り花の茎の切口に充分に水を吸い込んだスポンジで包み込まれスポンジに含まれている水分を吸収することにより長時間新鮮さを保つ事が出来る。
【背景技術】
【０００２】切り花保水用袋は切り花の綺麗さを引き立てるような花模様などカラフルな商品価値を高める物を必要とする。
【特殊文献１】
【非特殊文献】
【考案の開始】
【考案が解決しようとする課題】
【０００３】切り花保水用袋は今日のように交通が発達し車社会で何所でも出かけることが出来、レジャーも盛んでお客の集まる処では切り花は必ず販売されているが、切り花を求めても帰宅までの時間が掛かる為に綺麗であつた切り花も水の補給が出来ず萎み色も変色する事になり、特に花を愛し花の好きな人は切り花の保水が出来ない為に買うのをあきらめる人も多いのでこの考案品  があれば大変役立ち、又切り花は種類によつては茎の切り口から灰汁の出るも  のも有り衣服を汚すこともある。この考案品があればその心配もなく外見上も  綺麗であり販売促進にも大変貢献できる。
【課題を解決する為の手段】
【０００４】切り花保水用袋はビニールの袋の中に水を吸収できるもの、こ  の場合にはスポンジを使用し、吸水性と多量の生産と安価で生産されることが特に重要であり、瞬時に吸水が出来る物をビニールの袋の底に入れ、袋の中に水を入れるとスポンジが充分に吸水しその中え切り花の茎を差し込むとスポンジが茎を包むようになり長時間保水と保存ができる。
【考案の効果】
【０００５】この考案品があれば切り花を長時間保存が出来るので旅先で買っても帰宅まで切り花を新鮮にて持ち帰ることが出来大変便利であり、特に切り花の出荷は春から夏が多く、外気が暑い時期は切り花もかなりの保水が必要でこの切り花保水用袋があれば産業効果も大きいと思はれる。
【考案を実施するための最良の形態】
【０００６】今日までは切り花の保水用として手軽に持ち運ぶものはなく、この考案品は花屋さんなど切り花を扱う店ではかなり利用価値が期待でき又ビニール製品は非常に格安で生産が出来購入者に負担を掛けず喜こんで頂くことはサービス上も大事なことである。
【実施例１】
【０００７】現在この考案品及び類似品は市場にはないが自分で手作りし使用したら切り花は長時間保水が出来新鮮に保存が出来た。
【産業上の利用可能性】
【０００８】考案品の利用として、特に高価な花は多少の時間でも保水を必要とし今後全国の花屋さんで利用されることはお客のサービスと長時間綺麗に保存が出来ることは栽培する人の願いでもあり、切り花を無駄にしない点からも産業の上から利用価値は大である。
【図面の簡単な説明】
【０００９】
【図１】  考案品平面図
【図２】  同      立体図
【図３】  スポンジ立体図
【図４】  切り花と考案品平面図
【符号の説明】
【００１０】図１
１・・・袋の紐の部分
２・・・袋の部分
３・・・袋と紐の長さ
図２
１・・・袋を広げ口の幅
２・・・袋の長さ
３・・・紐の長さ
図３
１・・・スポンジの直径
２・・・スポンジの長さ
図４
１・・・切り花を切り花保水用袋で包んだ図
【手続補正３】
【補正対象書類名】図面
【補正対象項目名】全図
【補正方法】変更
【補正の内容】
【図１】
0003134834.tif 000011
【図２】
0003134834.tif 000012
【図３】
0003134834.tif 000013
【図４】
0003134834.tif 000014